(57)【要約】【課題】回路基板の防水・結露対策を簡易に行うこと。【解決手段】回路基板２８を上側から、弾性フード５０で被覆する。かような回路基板２８を収容する袖部１４Ｂは、便器１２を設置する空間と穴１４Ｃを介して温度差が生じないように、常時連通する。弾性フード５０に付着した水滴は、落下して、袖部１４Ｂの外部に排出される。【選択図】  図３
2004278235.tif 000002
【特許請求の範囲】
【請求項１】
便器側方に位置するケース袖部に設けられた操作部を操作して温水洗浄機構その他の機能部が作動・不作動するようにした温水洗浄装置において、前記操作部を、便器設置空間と連通する前記ケース袖部内に便器設置床面に対して傾けて設置され且つ前記機能部の回路部を構成すべくスイッチその他の電子素子が配設された回路基板と、前記回路基板を上方から被覆する弾性フードと、前記ケース袖部の上面部に外部露呈の態様で装着され且つ押圧されたとき前記スイッチを前記弾性フードを介して付勢して前記機能部を作動するボタンとから構成したことを特徴とする、温水洗浄便座装置。
【請求項２】
前記ボタンの押圧時、前記弾性フードが屈曲する、請求項１記載の温水洗浄便座装置。
【発明の詳細な説明】
【０００１】
【発明の属する技術分野】
本発明は、温水洗浄便座装置に関する。
【０００２】
【従来の技術】
周知のように、温水洗浄便座においては、便器側方に位置するケース袖部に設けられた操作部を操作して温水洗浄機構その他の機能部が作動・不作動するようになっている。すなわち、操作部は、ケース袖部の上面部に装着されたボタンを備えており、このボタンが押圧されると、ケース袖部内に配設されたスイッチがオンされ、回路部が起動されて、温水洗浄機構その他の機能部が作動されるようになっている。しかして、従来、ケース袖部の浸水及び結露対策としては、回路部の主要部をなす回路基板の上方及び下方をシート状のカバーで被覆するようになっている（例えば特許文献１参照）。
【０００３】
【特許文献１】
特開２００２−２９４７９５号公報（第５及び６頁、図１０及び１２）
【０００４】
【発明が解決しようとする課題】
ところが、上記した従来の温水洗浄便座装置においては、回路基板の上方及び下方をシート状のカバーで被覆するようになっているので、この３者組み付けが煩瑣となる。すなわち、回路基板をシート状カバーの間に介装し、この状態を保持しつつ、複数のネジで、この３者をネジ止めるという手順を踏まねばならない。
【０００５】
それ故に、本発明は、かような不具合を伴わずに、操作部の主要部をなす回路部の回路基板の浸水・結露対策を簡単に行える、温水洗浄便座装置を提供することを、技術的課題とする。
【０００６】
【課題を解決するための手段】
上記した課題を解決するために講じた技術的手段は、便器側方に位置するケース袖部に設けられた操作部を操作して温水洗浄機構その他の機能部が作動・不作動するようにした温水洗浄装置において、前記操作部を、便器設置空間と連通する前記ケース袖部内に便器設置床面に対して傾けて設置され且つ前記機能部の回路部を構成すべくスイッチその他の電子素子が配設された回路基板と、前記回路基板を上方から被覆する弾性フードと、前記ケース袖部の上面部に外部露呈の態様で装着され且つ押圧されたとき前記スイッチを前記弾性フードを介して付勢して前記機能部を作動するボタンとから構成したことである。
【０００７】
【発明の実施の形態】
図１〜図４に依拠して、本発明にかかる温水洗浄便座装置の一実施形態について説明する。
【０００８】
温水洗浄便座装置１０は、便器１２の後部上面に固定される本体部１４Ａ及び本体部１４Ａの一端部から前方に延在する袖部１４Ｂからなるケース１４を備える。ケース１４の内部には、周知の温水洗浄機構（図示略）が収容されている。しかして、袖部１４Ｂの上面に設けられた操作部ＯＰのボタン２０（２２）が押されると、袖部１４Ｂ内に配設された回路基板２８上に装着されたスイッチ３０（３２）がオンされると水圧が温水タンク（図示略）内に印加され、温水タンクから押し出された温水が、肛門洗浄ノズル２４（ビデ洗浄ノズル２６）から、ケース１４の本体部１４Ａに枢着された便座８０に着座する使用者（図示略）の肛門（ビデ部）に向けて噴射されるようになっている。そして、肛門洗浄ノズル２４（ビデ洗浄ノズル２６）から噴射される温水の強さは、ダイアル３４と連動するボリューム３６の回動量により、適宜調整される。尚、停止スイッチ３８と連動するボタン４０とを押すと、肛門洗浄ノズル２４（ビデ洗浄ノズル２６）からの温水の噴射は停止され、また、上記したスイッチ及び他の電子素子（図示略）は、周知のように、この温水洗浄便座装置１０の回路部を構成する。
【０００９】
特に図２及び図３に明瞭に示されるように、回路基板２８には、上側から弾性フード５０が水密的に被覆されており、回路基板２８上に装着されたスイッチ３０・３２・３８及びその他の電子素子の防水が図られている。すなわち、使用者により押圧されるボタン２０・２２及び使用者により回動せられるダイアル３４は、外部に露呈すべく装着されるため、その外周と装着穴１４Ｂ１・１４Ｂ２・１４Ｂ３の内周との間に論理必然的にクリアランスが形成される。このクリアランスを通って、例えば手洗い時や清掃時の水の飛散により、水滴が袖部１４Ｂ内に進入することがある。かような場合に、回路基板２８上に装着されたスイッチ３０・３２・３８及びその他の電子素子を水滴から保護するために、回路基板２８には、上側から弾性フード５０が水密的に被覆されている。弾性フード５０の材質としては、例えばシリコンゴムを採用することが出来る。
【００１０】
また、回路基板２８上に装着されたスイッチ３０・３２・３８及びその他の電子素子の結露対策としては、袖部１４Ｂの先端部の下側に外部と常時、充分に連通する穴１４Ｃが形成される。この穴１４Ｃにより、袖部１４Ｂの内部空間と便器１２を設置する空間（便器設置空間）との間に温度差が生じないようにして、回路基板２８の結露自体を防止している。
【００１１】
尚、弾性フード５０が水密的に被覆された回路基板２８は全体として便器１２の設置面に対して傾いており、弾性フード５０に水滴が付着しても、この水滴は、ガータ２８Ｇから落下して、穴１４Ｃを通過して、袖部１４Ｂの外に排出される。
【００１２】
弾性フード５０には、スイッチ３０・３２をフルに包摂する立ち上がり部５０Ａ・５０Ｂ及びボリューム３６を高さ方向に半分位包摂する立ち上がり部５０Ｃが一体形成されている。ボリューム３６のシャフトは、立ち上がり部５０Ｃを、液密的に且つ回動可能に、貫通する。立ち上がり部５０Ａ・５０Ｂの内方突起５０ＡＰ・５０ＢＰはスイッチ３０・３２と当接している。立ち上がり部５０Ａ・５０Ｂの側壁５０ＡＳ・５０ＢＳは薄肉状に形成されており、ボタン２０・２２が押圧されたとき、立ち上がり部５０Ａ・５０Ｂの薄肉状の側壁５０ＡＳ・５０ＢＳは、軸方向（図の上下方向）に屈曲して、使用者に節度感ないしはクリック感を付与する。
【００１３】
弾性フード５０は、シリコンゴムで形成されることにより、透過性となる。しかして、立ち上がり部５０Ａ・５０Ｂ内において、便座８０への着座時点灯されるＬＥＤ６０・６２が配設されており、この光が、立ち上がり部５０Ａ・５０Ｂを通過した後、ボタン２０・２２の透明の絵文字部が、当該光線により、使用者をして容易に認識せしめるようになっている。尚、ボタン２０・２２の透明の絵文字部以外は、光が透過しないようになっている。
【００１４】
以上、本発明の実施の形態について説明したが、本発明は上述した実施の形態に限定される意図はなく、本発明の趣旨に沿った形態の温水洗浄便座装置であれば、どのようなものでもよい。
【００１５】
【発明の効果】
請求項１の発明によれば、便器側方に位置するケース袖部に設けられた操作部を操作して温水洗浄機構その他の機能部が作動・不作動するようにした温水洗浄装置において、前記操作部を、便器設置空間と連通する前記ケース袖部内に便器設置床面に対して傾けて設置され且つ前記機能部の回路部を構成すべくスイッチその他の電子素子が配設された回路基板と、前記回路基板を上方から水密的に被覆する弾性フードと、前記ケース袖部の上面部に外部露呈の態様で装着され且つ押圧されたとき前記スイッチを前記弾性フードを介して付勢して前記機能部を作動するボタンとから構成したので、ケース袖部内に進入した水分により回路基板が保護され、当該水分は外部に排出される。また、ケース袖部内と便器設置空間との間に温度差は生ぜず、回路基板（特に、弾性フードで被覆されていない回路基板の下側）の結露の危惧から解放される。
【００１６】
請求項２の発明によれば、ボタンの押圧が弾性フードを屈曲するので、その反力乃至は復元力により、節度感乃至は操作クリック感が生成される。
【図面の簡単な説明】
【図１】本発明にかかる温水洗浄便座装置の一実施態様の説明用の一方側から見た斜視図である。
【図２】図１の温水洗浄便座装置の他方側から見た斜視図である。
【図３】図１の温水洗浄便座装置のブロック図である。
【図４】図１の温水洗浄便座装置のケースの内部を示す一方側から見た、電気配線を捨象した斜視図である。
【符号の説明】
１２・・・便器
１４・・・ケース
１４Ｂ・・・袖部
２８・・・回路基板
５０・・・弾性フード
【図１】
2004278235.tif 000003
【図２】
2004278235.tif 000004
【図３】
2004278235.tif 000005
【図４】
2004278235.tif 000006